(57)【要約】【課題】撮影により得られる画像データを有効に利用することができる画像処理装置を得る。【解決手段】センタサーバ２０では、カメラＩＤ０１の全方位カメラ１２Ａが生成した画像データを画像メモリ２８Ａに記憶し、サブ制御部３０Ａにおいて、画像データ上に互いに異なる画角範囲を有する２つの画角領域を設定すると共に、各画角領域に異なる領域ＩＤ０１、０２を設定する。同様にカメラＩＤ０２の全方位カメラ１２Ｂの画像データ上に領域ＩＤ０１、０２を有する二つの領域を設定する。カメラＩＤ０１及び領域ＩＤ０１に応じた出力要求が入力されると、全方位カメラ１２Ａの画像データにおける領域ＩＤ０１の画像が出力される。【選択図】　　　図１
2004088197.tif 000002
【特許請求の範囲】
【請求項１】
撮像手段による撮像画像の画像データを記憶する記憶手段と、
前記撮像手段の画角に含まれる異なる画角範囲の各々に対応する複数の前記撮像画像における領域を、前記画像データに設定する領域設定手段と、
少なくとも前記複数の領域から１つの領域を除いた他の領域に、それぞれ異なる領域属性を付与する領域属性設定手段と、
を備えた画像処理装置。
【請求項２】
複数の撮像手段による撮像画像の複数の画像データを、それぞれの撮像手段に属する画像データとしてそれぞれ記憶する記憶手段と、
前記複数の撮像手段に属する画像データ毎に、前記撮像手段の画角に含まれる異なる画角範囲の各々に対応する複数の前記撮像画像における領域を、前記画像データに設定する領域設定手段と、
前記複数の撮像手段に属する画像データ毎に、少なくとも前記複数の領域から１つの領域を除いた他の領域に、それぞれ異なる属性を付与する領域属性設定手段と、
を備えた画像処理装置。
【請求項３】
前記領域属性に応じた出力要求、または前記撮像手段に属する前記領域属性に応じた出力要求が入力されると、該領域属性に対応した領域の画像を出力する出力制御手段を、さらに備えた請求項１または請求項２記載の画像処理装置。
【発明の詳細な説明】
【０００１】
【発明の属する技術分野】
本発明は、画像データにおける出力画角範囲を設定するための画像処理装置に関する。
【０００２】
【従来の技術】
テレビ番組には、例えばジェットコースターに芸能人等を乗車させ、該乗員の怖がる顔や泣き顔等の表情（の変化）の画像を見せて視聴者を楽しませるものがあるが、このような画像を一般の乗員に提供することが考えられている。
【０００３】
例えば、特開平１０−１９７９１９号公報には、ジェットコースターの乗員を撮像するカメラと、該カメラによる撮像位置を乗員に報知するフラッシュライトとを備え、該フラッシュライトによる撮像位置の報知によって乗員にポーズ等を取るための余裕を与える技術が記載されている。
【０００４】
このような技術によれば、乗員は、予め撮像に備えてポーズを取ったり表情を整えたりすることができ、比較的満足な画像（写真等）を得ることができる。
【０００５】
【発明が解決しようとする課題】
しかしながら、このような従来の技術では、撮像位置が予め乗員に報知されるため、該乗員の思いがけない表情を得ることができず、趣味性に欠けるという問題があった。
【０００６】
一方、例えば恋人同士で隣り合ってジェットコースターに乗車する場合、該恋人同士は、一緒に撮像した画像によって思い出を記録したいという要求がある反面、自己の思いがけない表情、特に自己の正面から撮像された気に入らない表情の画像を恋人には見せたくないという要求がある。この場合、画像処理によって他者に見られたくなくない部分を削除することも考えられるが、このような処理を画像データに対して直接行なうことは煩雑であり現実的ではない。
【０００７】
本発明は、上記事実を考慮して、撮影により得られる画像データを有効に利用することができる画像処理装置を得ることが目的である。
【０００８】
【課題を解決するための手段】
上記目的を達成するために請求項１記載の発明に係る画像処理装置は、撮像手段による撮像画像の画像データを記憶する記憶手段と、前記撮像手段の画角に含まれる異なる画角範囲の各々に対応する複数の前記撮像画像における領域を、前記画像データに設定する領域設定手段と、少なくとも前記複数の領域から１つの領域を除いた他の領域に、それぞれ異なる領域属性を付与する領域属性設定手段と、を備えている。
【０００９】
請求項１記載の画像処理装置では、撮像手段による撮像画像の画像データが記憶手段に記憶される。この画像データには、領域設定手段によって、撮像手段の画角に含まれる異なる画角範囲に各々対応する複数の撮像画像における領域が設定される。これらの複数の領域は、撮像手段の画角範囲内において互いに重なり合う部分があっても良いが、互いに一致することはない。
【００１０】
さらに、領域設定手段が設定した複数の領域のうち、少なくとも１つの領域を除く他の領域には、それぞれ領域属性設定手段によって異なる領域属性が付与される。これにより、複数の領域が識別可能となる。なお、全ての領域にそれぞれ異なる領域属性が設定されても良いことは言うまでもない。
【００１１】
したがって、本画像処理装置では、１つの画像データから（画像データ毎に）、領域属性に応じた領域毎の（異なる画角範囲を有する）複数の画像を選択的に得ることができる。すなわち、本画像処理装置では、画像データにおける出力可能な画角に対応する範囲を設定でき、例えば、二人の人物を撮像した画像データに基づいて、そのぞれの人物のみの画像を提供したり、一方の者には全体画像を提供し他方の者には部分画像を提供したりすることが可能となる。
【００１２】
このように、請求項１記載の画像処理装置では、画像データにおける出力画角範囲を設定できる。すなわち、撮影により得られる画像データを有効に利用することができる。
【００１３】
また、上記目的を達成するために請求項２記載の発明に係る画像処理装置は、複数の撮像手段による撮像画像の複数の画像データを、それぞれの撮像手段に属する画像データとしてそれぞれ記憶する記憶手段と、前記複数の撮像手段に属する画像データ毎に、前記撮像手段の画角に含まれる異なる画角範囲の各々に対応する複数の前記撮像画像における領域を、前記画像データに設定する領域設定手段と、前記複数の撮像手段に属する画像データ毎に、少なくとも前記複数の領域から１つの領域を除いた他の領域に、それぞれ異なる属性を付与する領域属性設定手段と、を備えている。
【００１４】
請求項２記載の画像処理装置では、複数の撮像手段によるそれぞれの撮像画像の画像データが、各撮像手段に属する画像データとして、それぞれ記憶手段に記憶される。各画像データには、それぞれ領域設定手段によって、その属する撮像手段の画角に含まれる異なる画角範囲に各々対応する複数の領域（撮像画像における領域）が設定される。これらの各画像データにおける複数の領域は、その属する撮像手段の画角範囲内において互いに重なり合う部分があっても良いが、互いに一致しない。
【００１５】
さらに、一画像データについて領域設定手段が設定した複数の領域のうち、少なくとも１つの領域を除く他の領域には、それぞれ領域属性設定手段によって異なる領域属性が付与され、これが各画像データについて（各撮像手段に属する各画像データ毎に）行なわれる。すなわち、データ属性の異なる画像データ間では、同一の領域属性が存在していても良い。
【００１６】
これにより、各撮像手段に属する画像データ毎に、複数の領域が識別可能となる。なお、一画像データについて、全ての領域にそれぞれ異なる領域属性が設定されても良いことは言うまでもない。
【００１７】
したがって、本画像処理装置では、互いに異なる撮像手段に属する複数の画像データから、それぞれ領域属性に応じた領域毎の（異なる画角範囲を有する）複数の画像を選択的に得ることができる。
【００１８】
すなわち、本画像処理装置では、出力可能な画角に対応する範囲を、各撮像手段に属する画像データ毎に設定でき、例えば、二人の人物を異なる方向から撮像した２つの画像データに基づいて、一方の者には一方の撮像手段による全体画像及び他方の撮像手段による部分画像を提供し、他方の者には一方の撮像手段による部分画像及び他方の撮像手段による全体画像を提供することが可能となる。
【００１９】
このように、請求項２記載の画像処理装置では、画像データにおける出力画角範囲を設定できる。すなわち、撮影により得られる画像データを有効に利用することができる。
【００２０】
請求項３記載の発明に係る画像処理装置は、請求項１または請求項２記載の画像処理装置において、前記領域属性に応じた出力要求、または前記撮像手段に属する前記領域属性に応じた出力要求が入力されると、該領域属性に対応した領域の画像を出力する出力制御手段を、さらに備えている。
【００２１】
請求項３記載の画像処理装置では、出力制御手段は、画像データに設定された領域毎の領域属性に応じた出力要求、または撮像手段に属する領域属性に応じた出力要求が入力されると、該要求に応じた画像を出力する。
【００２２】
具体的には、請求項１に従属する本画像処理装置は、領域属性設定手段が設定した領域属性に応じた出力要求が入力されると、該領域属性に応じた領域（画角範囲）の画像を出力する。
【００２３】
すなわち、例えば、二人の人物を撮像した画像データに基づいて、第１の領域属性に対応する識別情報（ＩＤ）が与えられた一方の者による出力要求に対しては該第１の属性に対応する第１領域の画像（例えば全体画像）を出力し、第２の領域属性に対応するＩＤが与えられた他方の者による出力要求に対しては該第２の属性に対応する第２領域の画像（例えば部分画像）を提供することが可能となる。
【００２４】
一方、請求項２記載に従属する本画像処理装置は、１つの撮像手段に属する領域属性に応じた出力要求が入力されると、該撮像手段に属する画像データにおける領域属性に対応した画像データにおける画角領域の画像を出力する。
【００２５】
すなわち、例えば、２つの撮像手段によって二人の人物を異なる方向から撮像した２つの画像データに基づいて、第１の撮像手段に属する第１の領域属性に対応するＩＤが与えられた一方の者による出力要求に対しては、第１の撮像手段に属する画像データにおける第１の領域属性に対応する全体画像、及び第２の撮像手段に属する画像データにおける第１の領域属性に対応する部分画像を提供すると共に、第２の撮像手段に属する第２の領域属性に対応するＩＤが与えられた他方の者による出力要求に対しては、第２の撮像手段に属する画像データにおける第２の領域属性に対応する全体画像、及び第１の撮像手段に属する画像データにおける第２の領域属性に対応する部分画像を提供することが可能となる。
【００２６】
このように、請求項３記載の画像処理装置では、要求に応じて画像データにおける画角範囲を変更して出力することができる。
【００２７】
【発明の実施の形態】
本発明の実施の形態に係る画像処理装置が適用されたジェットコースタームービー撮影システム１０について、図１乃至図９に基づいて説明する。
【００２８】
図１には、ジェットコースタームービー撮影システム１０の概略全体構成がブロック図にて示されている。この図に示される如く、ジェットコースタームービー撮影システム１０は、撮像手段としての全方位カメラ１２を備えている。
【００２９】
全方位カメラ１２は後述するジェットコースター１４の各座席対応して複数設けられている。以下、複数の全方位カメラ１２のうち、図１に示された２つの全方位カメラ１２を、それぞれ全方位カメラ１２Ａ、１２Ｂとして説明する。
【００３０】
全方位カメラ１２Ａ、１２Ｂを含む各全方位カメラ１２は、それぞれ無線通信（図示しない無線通信装置）によって、画像処理装置としてのセンタサーバ２０へ撮像画像の画像データを伝送可能とされている。また、センタサーバ２０は、例えばネットワーク等を介して画像呼出表示装置として機能するパーソナルコンピュータ（以下、パソコンという）４０に接続されている。
【００３１】
このセンタサーバ２０は、各全方位カメラ１２からデータが伝送される画像処理部２２と、該画像処理部２２及びパソコン４０に接続された出力制御手段としての出力制御部２４とを有して構成されている。画像処理部２２は、複数の全方位カメラ１２にそれぞれ対応した複数のサブ画像処理部２６を備えている。
【００３２】
サブ画像処理部２６Ａは、全方位カメラ１２Ａから伝送された画像データを記憶する記憶手段としての画像メモリ２８Ａと、該画像メモリ２８Ａに接続された、領域設定手段及び属性設定手段としてのサブ制御部３０Ａと、それぞれサブ制御部３０Ａに接続された領域テンプレートメモリ３２Ａ及び領域属性メモリ３４Ａとを備えて構成されている。また、サブ制御部３０Ａは、出力制御部２４に接続されている。
【００３３】
一方、サブ画像処理部２６Ｂは、全方位カメラ１２Ｂから伝送された画像データを記憶する記憶手段としての画像メモリ２８Ｂと、該画像メモリ２８Ｂに接続された、領域設定手段及び属性設定手段としてのサブ制御部３０Ｂと、それぞれサブ制御部３０Ｂに接続された領域テンプレートメモリ３２Ｂ及び領域属性メモリ３４Ｂとを備えて構成されている。また、サブ制御部３０Ｂは、出力制御部２４に接続されている。
【００３４】
すなわち、画像処理部２２では、サブ画像処理部２６Ａ、２６Ｂが、それぞれ画像メモリ２８Ａ、２８Ｂに記憶された全方位カメラ１２Ａ、１２Ｂによる撮像画像の画像データを、サブ制御部３０Ａ、３０Ｂにおいて画像処理（後述）し、出力制御部２４を介したパソコン４０からの要求に基づいた画像に対応する画像データを、出力制御部２４を介してパソコン４０に出力するようになっている。
【００３５】
なお、他のサブ画像処理部２６も、サブ画像処理部２６Ａ、２６Ｂと同様に構成されている。
【００３６】
パソコン４０は、ＣＰＵ、ＲＯＭ、ＲＡＭ、入出力ポートがコマンドを授受可能に接続されると共に、入出力ポートに表示部としてのディスプレイＤ及び入力装置としてのキーボード、マウス等の電子機器が接続されて構成されている。
【００３７】
図２に示される如く、全方位カメラ１２は、レールＲ上を走行するジェットコースター１４の各座席の前方にそれぞれ設けられており、該ジェットコースター１４が運転（走行）している全期間の動画像を撮像するようになっている。すなわち、ジェットコースタームービー撮影システム１０は、複数の全方位カメラ１２を備えており、これら複数の全方位カメラ１２にはそれぞれ異なるカメラＩＤ（カメラ識別情報）が設定されている。
【００３８】
本実施の形態では、ジェットコースター１４の左右に隣り合う座席に対応した２つの全方位カメラ１２を一対としており、以下、ジェットコースター１４の最前列において、乗員Ｐ１が着座する進行方向右側座席の前方（正面）に配置された全方位カメラ１２を全方位カメラ１２Ａとし、乗員Ｐ２が着座する左側座席の前方に配置された全方位カメラ１２を全方位カメラ１２Ｂとして説明する。
【００３９】
そして、全方位カメラ１２ＡにはカメラＩＤ０１が設定されており、全方位カメラ１２ＢにはカメラＩＤ０２が設定されている。また、乗員Ｐ１にはカメラＩＤ０１に対応した要求者ＩＤ０１が与えられ、乗員Ｐ２にはカメラＩＤ０２に対応した要求者ＩＤ０２が与えられる。
【００４０】
全方位カメラ１２Ａ、１２Ｂ（を含む各全方位カメラ１２）は、図３に示される如く、光学的な結像手段であるレンズ１６と電荷結合素子であるＣＣＤ１８とを備えて構成され、レンズ１６の軸線との直交面に沿った３６０°の範囲を含む範囲の光学動画像を撮像して画像データ（デジタル情報）に変換するように構成されている。
【００４１】
そして、各全方位カメラ１２Ａ、１２Ｂは、それぞれのレンズ１６の軸線方向がジェットコースター１４の上下方向とそれぞれ一致するように各座席前方に配置されている。これにより、全方位カメラ１２Ａの撮像（画角）範囲には、その設置された右側座席に着座した乗員Ｐ１、及び該乗員Ｐ１に隣り合って着座した乗員Ｐ２が含まれるようになっている。
【００４２】
図７に示す環状の画像Ｇは、全方位カメラ１２Ａにて撮像した画像（動画のうちの１こま）の一例であり、その画角範囲には、乗員Ｐ１、Ｐ２、ジェットコースター１４用のレールＲ等が含まれている。図示は省略するが、全方位カメラ１２Ｂによる撮像画像の画角範囲には、その設置された左側座席に着座した乗員Ｐ２、該乗員Ｐ２に隣り合って着座した乗員Ｐ１、レールＲ等が含まれるようになっている。
【００４３】
そして、全方位カメラ１２Ａ、１２Ｂによって撮像された画像の画像データは、センタサーバ２０に伝送され、各サブ画像処理部２６Ａ、２６Ｂによって画像処理されるようになっている。
【００４４】
各サブ画像処理部２６Ａ、２６Ｂの画像メモリ２８Ａ、２８Ｂは、それぞれ全方位カメラ１２Ａ、１２Ｂから入力された（全方位カメラ１２Ａ、１２Ｂに属する）環状の動画像の画像データを逐次記憶するようになっている。また、領域テンプレートメモリ３２Ａには図６（Ａ）に概念図として示される領域テンプレート３６Ａが記憶されており、領域テンプレートメモリ３２Ｂには図６（Ｂ）に概念図として示される領域テンプレート３６Ｂが記憶されている。
【００４５】
領域テンプレート３６Ａには、環状の画角範囲を有する全方位カメラ１２Ａによる撮像画像の全領域に対応した環状の画角領域Ａ１と、該画角領域Ａ１の一部である略扇状の画角領域Ａ２とが予め設定されている。画角領域Ａ２は、全方位カメラ１２Ａによる撮像画像（例えば、画像Ｇ）における乗員Ｐ２の占める画角範囲に略対応して設定されている。
【００４６】
同様に、領域テンプレート３６Ｂには、環状の画角範囲を有する全方位カメラ１２Ａによる撮像画像の全領域に対応した環状の画角領域Ｂ２と、該画角領域Ｂ２の一部である略扇状の画角領域Ｂ１とが予め設定されている。画角領域Ｂ１は、全方位カメラ１２Ｂによる撮像画像における乗員Ｐ１の占める画角に略対応して設定されている。
【００４７】
そして、サブ制御部３０Ａは、領域テンプレート３６Ａを用いて、画像メモリ２８Ａに記憶された画像データ（画像Ｇを含む動画像のデータ）に、画角領域Ａ１及び画角領域Ａ２を設定し、かつ領域属性メモリ３４Ａに設定されている属性情報に基づいて、画角領域Ａ１には要求者ＩＤ０１（乗員Ｐ１）に対応する領域ＩＤ０１を設定し、画角領域Ａ２には要求者ＩＤ０２（乗員Ｐ２）に対応する領域ＩＤ０２を設定するように構成されている。
【００４８】
一方、サブ制御部３０Ｂは、領域テンプレート３６Ｂを用いて、画像メモリ２８Ｂに記憶された画像データに、画角領域Ｂ２及び画角領域Ｂ１を設定し、かつ領域属性メモリ３４Ｂに設定されている属性情報に基づいて、画角領域Ｂ２には要求者ＩＤ０２（乗員Ｐ２）に対応する領域ＩＤ０２を設定し、画角領域Ｂ１には要求者ＩＤ０１（乗員Ｐ１）に対応する領域ＩＤ０１を設定するように構成されている。
【００４９】
すなわち、乗員Ｐ１は、自己の正面に配置された全方位カメラ１２Ａに属する画像の全画角範囲である画角領域Ａ１と、隣り合って着座した乗員Ｐ２の正面に配置された全方位カメラ１２Ｂに属する画像のうち自己の占める画角範囲に対応する画角領域Ｂ１とを参照（閲覧）可能であり、乗員Ｐ２は、全方位カメラ１２Ａに属する画像のうち自己の占める画角範囲に対応する画角領域Ａ２と、全方位カメラ１２Ｂに属する画像の全画角範囲である画角領域Ｂ２とを参照可能とされている。これらの参照方法については後述する。
【００５０】
また、センタサーバ２０の出力制御部２４には、画像出力プログラム３８が記憶されている。出力制御部２４は、パソコン４０に記憶された画像閲覧ソフト（プログラム）４２からの要求画像に応じた画角範囲の画像データをパソコン４０へ出力するようになっている。
【００５１】
以下、画像出力プログラム３８及び画像閲覧ソフト４２の該略機能
（構成）について、図４及び図５に示されるフローチャートに基づいて説明する。
【００５２】
図４に示される如く、画像出力プログラム３８は、起動すると、ステップ４４でパソコン４０（画像閲覧ソフト４２）からの画像出力要求の有無を判断し、画像出力が要求されている場合には、ステップ４６へ進み画像閲覧ソフト４２からの要求に基づいて要求画像に対応するカメラＩＤを特定し、ステップ４８へ進み画像要求者の要求者ＩＤを特定するようになっている。
【００５３】
カメラＩＤ及び要求者ＩＤが特定されると、ステップ５０へ進み、カメラＩＤと要求者ＩＤとが一致するか否かを判断するようになっており、カメラＩＤと要求者ＩＤとが一致する場合には、ステップ５２乃至ステップ５６で構成される主画像変換ステップ群へ進むようになっている。一方、カメラＩＤと要求者ＩＤとが一致しない場合には、ステップ６０乃至ステップ６４で構成される副画像変換ステップ群へ進むようになっている。
【００５４】
ステップ５２では、ステップ４６で特定したカメラＩＤに基づいて該当カメラＩＤを特定するようになっている。すなわち、カメラＩＤに基づいて、画像出力が要求された全方位カメラ１２に属する画像データ（領域ＩＤが設定された画像データ）が記憶されているサブ画像処理部２６を選択する。例えば、要求者ＩＤ０１を有する画像要求者（乗員Ｐ１）がカメラＩＤ０１の全方位カメラ１２Ａに属する画像を要求している場合には、サブ画像処理部２６Ａを選択する。
【００５５】
ステップ５４では、要求者ＩＤに基づいて画像における出力すべき領域（の画像データ）を抽出するようになっている。すなわち、要求者ＩＤと一致する領域ＩＤが付与された画角領域が選択される。本実施の形態では、カメラＩＤと要求者ＩＤとが一致している場合には、全方位カメラ１２に属する画像の全範囲である画角領域に対応した主画像データ（例えば、画角領域Ａ１または画角領域Ｂ１の画角範囲を有する画像に対応する画像データ）が選択される。
【００５６】
ステップ５６では、ステップ５４で選択された画角領域の主画像データをフォーマット、すなわち、全方位カメラ１２による環状画像に対応した画像データを矩形状にパノラマ展開して表示可能な画像データとして補正するようになっている。そして、このフォーマットされた主画像データを、ステップ５８で、パソコン４０へ出力するようになっている。
【００５７】
一方、ステップ６０では、ステップ４６で特定したカメラＩＤに基づいて該当カメラＩＤを設定するようになっている。すなわち、カメラＩＤに基づいて、画像出力が要求された全方位カメラ１２に属する画像データ（領域ＩＤが設定された画像データ）が記憶されているサブ画像処理部２６を選択する。例えば、要求者ＩＤ０２を有する閲覧者（乗員Ｐ２）がカメラＩＤ０１の全方位カメラ１２Ａの画像データを要求している場合には、サブ画像処理部２６Ａを選択する。
【００５８】
ステップ６２では、要求者ＩＤに基づいて画像データにおける出力すべき領域（の画像データ）を抽出するようになっている。すなわち、要求者ＩＤと一致する領域ＩＤが付与された画角領域が選択される。本実施の形態では、カメラＩＤと要求者ＩＤとが一致しない場合には、ステップ６０で特定されたカメラＩＤを有する全方位カメラ１２に属する画像における画像要求者の占める画角領域の副画像データ（例えば、画角領域Ａ２または画角領域Ｂ２の画角範囲を有する画像に対応する画像データ）が選択される。
【００５９】
ステップ６４では、ステップ６２で選択された画角領域の副画像データをフォーマットするようになっている。そして、このフォーマットされた副画像データを、ステップ５８で、パソコン４０へ出力するようになっている。
【００６０】
また、図５に示される如く、画像閲覧ソフト４２は、画像要求者が自己の要求者ＩＤを入力して起動すると、ステップ７０で、該画像要求者が自己の要求者ＩＤに対応したカメラＩＤを有する全方位カメラ１２の画像の再生を要求しているか否かを判断するようになっている。
【００６１】
画像要求者が自己の要求者ＩＤに対応したカメラＩＤの全方位カメラ１２（自カメラ）による画像の再生を要求している場合には、ステップ７２へ進み、該自カメラのカメラＩＤ及び要求者ＩＤをセンタサーバ２０（出力制御部２４の画像出力プログラム３８）へ出力するようになっている。そして、ステップ７４で、センタサーバ２０からの応答（画像データの出力）があると判断されると、ステップ７６で、該画像データ（この場合、要求者ＩＤがカメラＩＤと一致するため、主画像データ）に基づく画像を、パソコン４０を構成する表示装置としてのディスプレイＤ上に再生するようになっている。
【００６２】
一方、ステップ７０で、画像要求者が自己の要求者ＩＤに対応したカメラＩＤを有する全方位カメラ１２による画像を要求していないと判断された場合には、ステップ７８へ進み、他のカメラＩＤを有する全方位カメラ１２（他カメラ）による画像の再生を要求しているか否かを判断する。
【００６３】
画像要求者が他カメラによる画像を要求している場合には、ステップ８０で、該他カメラのカメラＩＤを特定するようになっている。本実施の形態では、画像要求者が閲覧可能な他カメラ画像は、自己の要求者ＩＤに対応したカメラＩＤの全方位カメラ１２と隣接して設置された全方位カメラ１２に属する画像であるため、該要求者ＩＤに基づいて、自カメラに隣接して設置された他カメラのカメラＩＤを特定する。そして、ステップ８２で、該特定した他カメラのカメラＩＤ及び要求者ＩＤをセンタサーバ２０へ出力するようになっている。
【００６４】
さらに、ステップ７４で、センタサーバ２０からの応答があると判断されると、ステップ７６で、該画像データ（この場合、要求者ＩＤがカメラＩＤと一致しないため、副画像データ）に基づく画像をディスプレイＤ上に再生するようになっている。
【００６５】
次に、本実施の形態の作用を説明する。
【００６６】
上記構成のジェットコースタームービー撮影システム１０では、乗員Ｐ１、Ｐ２を含む乗員が乗車したジェットコースター１４が発車すると、各全方位カメラ１２が動画の撮像（画像データの生成）を開始する。そして、ジェットコースター１４が停車すると、各全方位カメラ１２による撮像（画像データの生成）が終了する。
【００６７】
この間に生成された各全方位カメラ１２による撮像画像の画像データは、それぞれ無線通信によってセンタサーバ２０の画像処理部２２へ伝送される。全方位カメラ１２Ａに属する画像データは、サブ画像処理部２６Ａの画像メモリ２８Ａに記憶される。そしてサブ制御部３０Ａでは、この画像データに画角領域Ａ１と画角領域Ａ２とを設定すると共に、画角領域Ａ１、Ａ２にそれぞれ領域ＩＤ０１、０２を設定する（図７参照）。
【００６８】
また、全方位カメラ１２Ｂに属する画像データは、サブ画像処理部２６Ｂの画像メモリ２８Ｂに記憶される。そしてサブ制御部３０Ｂでは、この画像データに画角領域Ｂ２画角領域Ｂ１とを設定すると共に、画角領域Ｂ２、Ｂ１にはそれぞれ領域ＩＤ０２、０１を設定する。
【００６９】
一方、ジェットコースター１４を降車した各乗員には、自己の座席前方（正面）に配置されていた全方位カメラ１２のカメラＩＤに対応する要求者ＩＤが与えられる。すなわち、乗員Ｐ１にはカメラＩＤ０１に対応した要求者ＩＤ０１が与えられ、乗員Ｐ２にはカメラＩＤ０２に対応した要求者ＩＤ０２が与えられる。なお、各要求者ＩＤには、日付情報や時間（または運転回）情報等、自己の画像を呼び出すための情報が含まれている。
【００７０】
以下、一例として、図８及び図９を用いて、乗員Ｐ１がジェットコースター１４からの降車後に、パソコン４０のディスプレイＤ上に画像を再生する場合を、降車後の乗員Ｐ１を画像要求者Ｐ１として説明する。なお、図８及び図９に示される画像は、図７の画像Ｇに対応している。
【００７１】
画像要求者Ｐ１がパソコン４０を操作し、自己の要求者ＩＤ０１を入力して画像閲覧ソフト４２立ち上げると、ディスプレイＤ上には図８に示される如きウインドウ８４が表示される。この時点では、ウインドウ８４の中央部に配置された画像表示部８６には要求画像が表示されていない。
【００７２】
画像要求者Ｐ１がウインドウ８４内の自カメラ選択ボタン８８をクリックすると、画像閲覧ソフト４２では、ステップ７０で、画像要求者Ｐ１が自己の要求者ＩＤ０１に対応したカメラＩＤ０１を有する全方位カメラ１２Ａの画像の再生を要求していると判断し、ステップ７２でカメラＩＤ０１及び要求者ＩＤ０１をセンタサーバ２０へ出力する。
【００７３】
すると、センタサーバ２０を構成する出力制御部２４の画像出力プログラム３８では、ステップ４４で画像要求が為されたと判断して、ステップ４６へ進みカメラＩＤ０１を特定し、ステップ４８へ進み要求者ＩＤ０１を特定する。そして、ステップ５０ではカメラＩＤ０１と要求者ＩＤ０１とが一致していると判断して主画像変換ステップ群へ進む。
【００７４】
ステップ５２では、カメラＩＤ０１に基づいて全方位カメラ１２Ａに対応するサブ画像処理部２６Ａを選択し、ステップ５４では、要求者ＩＤ０１に基づいて領域ＩＤ０１を有する画角領域Ａ１を抽出（選択）する。そして、ステップ５６で画角領域Ａ１に対応する主画像データをフォーマットし、該フォーマットされた主画像データをステップ５８で画像閲覧ソフト４２へ出力する。
【００７５】
すると、画像閲覧ソフト４２では、ステップ７４でセンタサーバ２０からの応答が為されたと判断し、ステップ７６で、ディスプレイＤ上に表示されたウインドウ８４の画像表示部８６に、上記主画像データに基づく画像を表示する。この画像の一例が図８に示されている。主画像データは、画角範囲が３６０°の環状である全方位カメラ１２Ａの全画角範囲（上記フォーマットによってパノラマ展開された全範囲）を含んでいるが、画像表示部８６では、図８に示されるように、その画角範囲の一部を再生（表示）するようになっている。
【００７６】
図８に示されるこの画像では、乗員（画像要求者）Ｐ１と乗員Ｐ２とが共に表示されており、該乗員Ｐ１、Ｐ２が互いに恋人同士等の親しい知人関係である場合、画像要求者Ｐ１は、自己の画像以外に乗員Ｐ２の斜め前方からの表情（の変化）等を楽しむことができる。また、画像閲覧ソフト４２では、ウインドウ８４内の視野角変更ボタン９０を適宜クリックすると、図９（Ａ）乃至図９（Ｃ）に示されるような画像を、画像表示部８６に再生する。
【００７７】
図９（Ａ）は、ジェットコースター１４の進行方向の画像を示しており、該ジェットコースター１４の臨場感のある映像を楽しむことができる。図９（Ｂ）は、画像要求者Ｐ１と隣り合って着座していた乗員Ｐ２のみを表示させた場合の画像を示している。この場合も、画像要求者Ｐ１は、乗員Ｐ２の斜め前方からの表情（の変化）等を楽しむことができる。図９（Ｃ）は、画像要求者Ｐ１の正面画像を示している。
【００７８】
なお、図９（Ｂ）の画像は、乗員Ｐ２であった画像要求者Ｐ２が他カメラ選択ボタン９２をクリックした場合における他カメラ画像（画角領域Ａ２の画像）に対応しており、画像要求者Ｐ１、Ｐ２は、この画像を共有できる。
【００７９】
一方、画像要求者Ｐ１がウインドウ８４内の他カメラ選択ボタン９２をクリックすると、画像閲覧ソフト４２では、ステップ７０で自カメラ画像が要求されていないと判断してステップ７８へ進み、該ステップ７８で他カメラ画像が要求されたと判断する。すると、ステップ８０で、画像要求者Ｐ１の要求者ＩＤ０１に基づいて、該要求者ＩＤ０１に対する他カメラが、該画像要求者Ｐ１に隣り合って着座していた乗員Ｐ２（要求者ＩＤ０２）に対応したカメラＩＤ０２を有する全方位カメラ１２Ｂであると特定し、ステップ８２で、このカメラＩＤ０２及び要求者ＩＤ０１をセンタサーバ２０へ出力する。
【００８０】
すると、センタサーバ２０を構成する出力制御部２４の画像出力プログラム３８では、ステップ４４で画像要求が為されたと判断して、ステップ４６へ進みカメラＩＤ０２を特定し、ステップ４８へ進み要求者ＩＤ０１を特定する。そして、ステップ５０ではカメラＩＤ０２と要求者ＩＤ０１とが一致していないと判断して副画像変換ステップ群へ進む。
【００８１】
ステップ６０では、カメラＩＤ０２に基づいて全方位カメラ１２Ｂに対応するサブ画像処理部２６Ｂを選択し、ステップ６２では、要求者ＩＤ０１に基づいて領域ＩＤ０１を有する画角領域Ｂ１を抽出（選択）する。そして、ステップ６４で画角領域Ｂ１に対応する副画像データをフォーマットし、該フォーマットされた副画像データをステップ５８で画像閲覧ソフト４２へ出力する。
【００８２】
すると、画像閲覧ソフト４２では、ステップ７４でセンタサーバ２０からの応答が為されたと判断し、ステップ７６で、ディスプレイＤ上に表示されたウインドウ８４の画像表示部８６に、上記副画像データに基づく画像を表示する。この画像の一例が図９（Ｄ）に示されている。
【００８３】
図９（Ｄ）は、全方位カメラ１２Ｂによって斜め前方から撮像された乗員（画像要求者）Ｐ１の画像を示しており、画角領域Ｂ１における全画像を表示しているため、視野角変更ボタン９０による視野角の変更はできない。この図９（Ｄ）の画像も、図９（Ｂ）の画像と同様に、画像要求者Ｐ１、Ｐ２が共有できる。
【００８４】
また、ウインドウ８４上の静止画記録ボタン９４をクリックすると、該クリックした瞬間に表示されていた動画の１こまが静止画としてパソコン４０に記録され、該静止画が複数（本実施の形態では４つ）の静止画表示部９６に上から順に表示される。そして、この静止画は適宜プリント可能とされている。
【００８５】
このように、ジェットコースタームービー撮影システム１０を構成する画像処理部２２（サブ画像処理部２６）では、１つの全方位カメラ１２の画像データ上に複数の画角領域（例えば、画角領域Ａ１、Ａ２）を設定すると共に、該複数の画角領域にそれぞれ異なる属性（例えば、領域ＩＤ０１、０２）を設定するため、パソコン４０等からの要求に応じて異なる画角範囲の画像を出力することができる。
【００８６】
このため、例えば、上記の通り、画像要求者Ｐ１、Ｐ２が共有できる画像と、一方の画像要求者のみが閲覧可能な画像とを設定することが可能となり、一方の画像要求者が他方の画像要求者には見せたくない自己の正面画像を、該他方の画像要求者に対し閲覧不能とすることができる。
【００８７】
特に、複数の全方位カメラ１２を備えたジェットコースタームービー撮影システム１０において、隣り合って配置された全方位カメラ１２が一対として構成され、かつ各全方位カメラ１２毎に異なるカメラＩＤが設定されると共に各全方位カメラ１２に属する画像データ毎に複数の画角領域が設定されるため、例えば、画像要求者は、隣り合って着座していた他の画像要求者が見せたくない画像を除いて、他カメラによる撮像画像を楽しむことができる。
【００８８】
また、ジェットコースタームービー撮影システム１０を構成するセンタサーバ２０の出力制御部２４は、画像出力プログラム３８を有し、画像要求者の要求者ＩＤと要求画像の属するカメラＩＤとに基づいて、出力すべき画像データ（カメラＩＤ）と該画像データにおける出力画角範囲（要求者ＩＤに対応した領域ＩＤに基づく画角領域）とを設定することで、パソコン４０からの要求におじて出力画像及び該画像の画角範囲を変更する機能を実現している。すなわち、センタサーバ２０は、例えば、画像要求者が自カメラによる全範囲の画像及び他カメラによる部分画像（他方の画像要求者が他人に見せたくない自己の正面画像を除く画像）を楽しむ機能を実現している。
【００８９】
このように、本実施の形態に係るジェットコースタームービー撮影システム１０（センタサーバ２０）では、画像データにおける出力画角範囲を設定でき、要求に応じて画像データにおける画角範囲を変更して出力することができる。すなわち、撮影により得られる画像データを有効に利用することができる。
【００９０】
なお、上記の実施の形態では、ジェットコースター１４の隣り合う乗員同士が一部の画像を共用できるように、例えば画角領域Ａ１と画角領域Ａ２とが重なり合うように設定された構成としたが、本発明はこれに限定されず、例えば、乗員Ｐ１、Ｐ２に全く異なる画角範囲の画像を提供するように複数の画角領域を設定しても良い。したがって、例えば、乗員Ｐ１、Ｐ２間に１つの（共用の）全方位カメラ１２を設置し、互いに自己の画像のみを閲覧可能に設定しても良い。
【００９１】
また、上記の実施の形態では、１つの全方位カメラ１２による画像データに２つの画角領域が設定される構成としたが、本発明はこれに限定されず、画像データに３つ以上の画角領域を設定しても良い。したがって、例えば、図９（Ａ）に示される画像を、ジェットコースター１４の全乗員が共有する画像とすることもできる。
【００９２】
さらに、上記の実施の形態では、センタサーバ２０がネットワーク等を介して画像を出力する構成としたが、本発明はこれに限定されず、例えば、乗員（画像要求者）の希望に応じて、該乗員の閲覧可能な画像データ（各ＩＤと共に）をＣＤ−ＲＯＭ等の記録媒体に記録して提供しても良い。この場合、このＣＤ−ＲＯＭ等に画像閲覧ソフト４２を記憶しておくこともできる。
【００９３】
さらにまた、上記の実施の形態では、撮像手段として全方位カメラ１２を備えた構成としたが、本発明はこれに限定されず、撮像手段は、所定の画角（撮像領域）を有すれば良く、また静止画を撮像する構成であっても良い。
【００９４】
また、本発明における画像処理装置は、ジェットコースタームービー撮影システム１０に適用される構成に限定されないことは言うまでもない。
【００９５】
【発明の効果】
以上説明したように本発明に係る画像処理装置は、撮影により得られる画像データを有効に利用することができるという優れた効果を有する。
【図面の簡単な説明】
【図１】本発明の実施の形態に係る画像処理装置が適用されたジェットコースタームービー撮影システムの概略全体構成、及び該ジェットコースタームービー撮影システムに接続されたパソコンを示すブロック図である。
【図２】ジェットコースタームービー撮影システム１０を構成する全方位カメラのジェットコースターへの設置状態を示す斜視図である。
【図３】ジェットコースタームービー撮影システム１０を構成する全方位カメラの概念構成図である。
【図４】ジェットコースタームービー撮影システムを構成する出力制御部に記憶された画像出力プログラムのフローチャートである。
【図５】ジェットコースタームービー撮影システムに接続されたパソコンの画像閲覧ソフトのフローチャートである。
【図６】ジェットコースタームービー撮影システム１０を構成するセンタサーバに記憶された領域テンプレートを示す図であって、（Ａ）は一方の全方位カメラの画像データに対応した領域テンプレートの概念図、（Ｂ）は他方の全方位カメラの画像データに対応した領域テンプレートの概念図である。
【図７】ジェットコースタームービー撮影システム１０を構成する全方位カメラによる撮像画像の一例を示す図である。
【図８】ジェットコースタームービー撮影システムに接続されたパソコンによる主画像の閲覧状態を示す図である。
【図９】ジェットコースタームービー撮影システムに接続されたパソコンによる画像の閲覧状態を示す図であって、（Ａ）は主画像の視野角をジェットコースター前方に設定した場合、（Ｂ）は主画像の視野角を同乗者に設定した場合、（Ｃ）は主画像の視野角を自己の正面に設定した場合、（Ｄ）は副画像を再生した場合をそれぞれ示す図である。
【符号の説明】
１０　　ジェットコースタームービー撮影システム
１２　　全方位カメラ（撮像手段）
２０　　センタサーバ（画像処理装置）
２２　　画像処理部（画像処理装置）
２４　　出力制御部（出力制御手段）
２６　　サブ画像処理部（画像処理装置）
２８　　画像メモリ（記憶手段）
３０　　サブ制御部（領域設定手段、属性設定手段）
３２　　領域テンプレートメモリ（領域設定手段）
３４　　領域属性メモリ（領域設定手段）
３８　　画像出力プログラム（出力制御手段）
【図１】
2004088197.tif 000003
【図２】
2004088197.tif 000004
【図３】
2004088197.tif 000005
【図４】
2004088197.tif 000006
【図５】
2004088197.tif 000007
【図６】
2004088197.tif 000008
【図７】
2004088197.tif 000009
【図８】
2004088197.tif 000010
【図９】
2004088197.tif 000011